(57)【要約】【課題】排温水、排ガス、排ガス等を熱源として被加熱媒体液を加熱し、該被加熱媒体蒸気を得ることにより、補機動力が削減できると共に、被加熱媒体液を予熱することにより蒸気への変換効率の向上を図ることができる吸収式ヒートポンプを提供すること。【解決手段】吸収器Ａ、蒸発器Ｅ、再生器Ｇ、凝縮器Ｃ、及び溶液熱交換器Ｘを主要構成機器とし、これを管路で接続して構成し、蒸発器Ｅ及び再生器Ｇに熱源温水１０２を、凝縮器Ｃに冷却水１０１を導き、吸収器Ａにて熱源温水１０２よりも高温の被加熱媒体を得る吸収式ヒートポンプにおいて、吸収器Ａの蒸発管１２入口に被加熱媒体液（主水）を導入し、出口から蒸気１０４又は液を含む蒸気１０４を導出する。【選択図】図１
2006138614.tif 000002
【特許請求の範囲】
【請求項１】
吸収器、蒸発器、再生器、凝縮器、及び溶液熱交換器を主要構成機器とし、これを管路で接続して構成し、前記蒸発器及び再生器に熱源を、前記凝縮器に冷却源を導き、前記吸収器にて高温の被加熱媒体を得る吸収式ヒートポンプにおいて、
前記吸収器の被加熱媒体入口に被加熱媒体液を導入し、被加熱媒体出口から蒸気又は液を含む蒸気の被加熱媒体を導出することを特徴とする吸収式ヒートポンプ。
【請求項２】
請求項１に記載の吸収式ヒートポンプにおいて、
前記吸収器の被加熱媒体入口への被加熱媒体液の導入量を、被加熱媒体出口の蒸気の過熱度を目標値になるように調節する被加熱媒体液導入量調節手段を設けたことを特徴とする吸収式ヒートポンプ。
【請求項３】
請求項１に記載の吸収式ヒートポンプにおいて、
前記吸収器の被加熱媒体出口に気液分離器を設け、該気液分離器で分離された被加熱媒体液を該吸収器の被加熱媒体入口に導入することを特徴とする吸収式ヒートポンプ。
【請求項４】
請求項１乃至３のいずれか１項に記載の吸収式ヒートポンプにおいて、
前記吸収器に供給する被加熱媒体液を、熱源媒体、蒸発器からの冷媒蒸気、吸収溶液、凝縮器の凝縮熱の少なくとも１つ以上で加熱することを特徴とする吸収式ヒートポンプ。
【請求項５】
請求項１乃至４のいずれか１項に記載の吸収式ヒートポンプにおいて、
前記吸収器と前記蒸発器の組合せを多段として、温度上昇を多段にしたことを特徴とする吸収式ヒートポンプ。
【発明の詳細な説明】
【技術分野】
【０００１】
本発明は、排温水、排ガス、排蒸気等の熱源を用いて高温の被加熱媒体を得る吸収式ヒートポンプに関し、特にこれら加熱源を用いて高温の被加熱媒体蒸気を得る吸収式ヒートポンプに関するものである。
【背景技術】
【０００２】
排温水を熱源として、該排熱源よりも高温の温水を発生させる吸収式ヒートポンプは、特許文献１により公知である。しかしながら、これらの吸収式ヒートポンプは高温の熱を被加熱流体である高温水（顕熱）として得るため、高温水循環のためのポンプ動力が大きくなるという問題がある。また、これら公知の吸収式ヒートポンプでは被加熱媒体液を加熱し、被加熱媒体蒸気を得るものでないことから、被加熱媒体の予熱ということは考えていなかった。
【特許文献１】特公昭５８−１８５７４号公報
【発明の開示】
【発明が解決しようとする課題】
【０００３】
本発明は上述の点に鑑みてなされたもので、排温水、排ガス、排蒸気等を熱源として被加熱媒体液を加熱し被加熱媒体蒸気を得ることにより、補機動力が削減できると共に、被加熱媒体液を予熱することにより蒸気への変換効率の向上を図ることができる吸収式ヒートポンプを提供することを目的とする。
【課題を解決するための手段】
【０００４】
上記課題を達成するため請求項１に記載の発明は、吸収器、蒸発器、再生器、凝縮器、及び溶液熱交換器を主要構成機器とし、これを管路で接続して構成し、蒸発器及び再生器に熱源を、凝縮器に冷却源を導き、吸収器にて高温の被加熱媒体を得る吸収式ヒートポンプにおいて、吸収器の被加熱媒体入口に被加熱媒体液を導入し、被加熱媒体出口から蒸気又は液を含む蒸気の被加熱媒体を導出することを特徴とする。
【０００５】
請求項２に記載の発明は、請求項１に記載の吸収式ヒートポンプにおいて、前記吸収器の被加熱媒体入口への被加熱媒体液の導入量を、被加熱媒体出口の蒸気の過熱度を目標値になるように調節する被加熱媒体液導入量調節手段を設けたことを特徴とする。
【０００６】
請求項３に記載の発明は、請求項１に記載の吸収式ヒートポンプにおいて、前記吸収器の被加熱媒体出口に気液分離器を設け、該気液分離器で分離された被加熱媒体液を該吸収器の被加熱媒体入口に導入することを特徴とする。
【０００７】
請求項４に記載の発明は、請求項１乃至３のいずれか１項に記載の吸収式ヒートポンプにおいて、吸収器に供給する被加熱媒体液を、熱源媒体、蒸発器からの冷媒蒸気、吸収溶液、凝縮器の凝縮熱の少なくとも１つ以上で加熱することを特徴とする。
【０００８】
請求項５に記載の発明は、請求項１乃至４のいずれか１項に記載の吸収式ヒートポンプにおいて、前記吸収器と前記蒸発器の組合せを多段として、温度上昇を多段にしたことを特徴とする。
【発明の効果】
【０００９】
請求項１に記載の発明によれば、吸収器の被加熱媒体入口に被加熱媒体液を導入し、被加熱媒体出口から蒸気又は液を含む蒸気の被加熱媒体を得て導出するので、吸収器に被加熱媒体液を供給するためのポンプ動力を削減できる。例えば被加熱媒体が水（Ｈ2Ｏ）である高温熱を高温水の形で得る場合、高温水の出入口温度差を例えば５Ｋとすると、これを蒸気の形態で得る本発明では、約１００分の１の流量で済むので、ポンプ動力が小さく済む。熱媒体液の量を増やし伝熱を良くし、出口部で気液分離する形態を採用した場合でも、約５０分の１の流量で済む。
【００１０】
請求項２に記載の発明によれば、吸収器の被加熱媒体入口への被加熱媒体液の導入量を、被加熱媒体出口の蒸気の過熱度を目標値になるように調節する被加熱媒体液導入量調節手段を設けたので、液滴を含まない被加熱媒体蒸気を得ることができる。
【００１１】
請求項３に記載の発明によれば、前記吸収器の被加熱媒体出口に気液分離器を設けたので、被加熱媒体液の量を増やし被加熱媒体の伝熱係数を上げることで、より高温の蒸気を得ることができる。例えば被加熱媒体液の量を蒸発量の１〜２倍とすることにより、被加熱媒体の伝熱係数を上げることができる。
【００１２】
請求項４に記載の発明によれば、吸収器に供給する被加熱媒体液を、熱源媒体、蒸発器からの冷媒蒸気、吸収溶液、凝縮器の凝縮熱の少なくとも１つ以上で加熱するので、被加熱媒体液が予熱されて吸収器に供給されるから蒸気への変換効率が向上する。
【００１３】
請求項５に記載の発明によれば、吸収器と蒸発器の組合せを多段として、温度上昇を多段とすることにより、より高温の加熱媒体蒸気が得られる。
【発明を実施するための最良の形態】
【００１４】
以下、本発明の実施の形態例を図面に基いて説明する。なお、本実施の形態例では再生器Ｇ、蒸発器Ｅの熱源として排温水、排蒸気を用いる例を示すが熱源としては排ガス等でもよい。凝縮器Ｃの冷却源として冷却水を用いる例を示すが冷却源としては空気（空冷方式）等でもよい。
【実施例１】
【００１５】
図１は本発明に係る吸収式ヒートポンプの構成例を示す図である。図示するように、本吸収式ヒートポンプは、吸収器Ａ、蒸発器Ｅ、再生器Ｇ、凝縮器Ｃ、及び溶液熱交換器Ｘを主要構成機器として具備する。再生器Ｇからの濃溶液を溶液ポンプ１により吸収器Ａに導く濃溶液管２と、吸収器Ａからの希溶液を再生器Ｇに導く希溶液管４と、冷媒液を冷媒ポンプ５により蒸発器Ｅに導く冷媒管６と、蒸発器Ｅで蒸発した冷媒蒸気を吸収器Ａに導く流路７と、再生器Ｇにて発生した冷媒蒸気を凝縮器Ｃに導く流路８とが設けられ、各機器を接続している。
【００１６】
凝縮器Ｃには冷却水１０１を導く冷却水管９、蒸発器Ｅと再生器Ｇとにはそれぞれ熱源温水１０２を導く温水管１０、１１、吸収器Ａには所望の高温の蒸気を得るための蒸発管１２が装備されている。該蒸発管１２の入口には加熱媒体液としての水１０３を補給する補給水管３が接続され、出口は蒸気１０４を排出する蒸気管１３が接続されている。１４は補給水ポンプ１６により補給水管３を通って吸収器Ａに供給される水１０３を吸収器Ａからの希溶液で加熱（予熱）するための熱交換器であり、１５は水１０３を熱源温水１０２で加熱（予熱）するための熱交換器である。
【００１７】
上記構成の吸収式ヒートポンプにおいて、再生器Ｇの温水管１１に熱源温水１０２を供給することにより、再生器Ｇの中の溶液は蒸発して濃溶液となり、該濃溶液は溶液ポンプ１により溶液熱交換器Ｘを通って加熱され、吸収器Ａに送られ、蒸発管１２の伝熱面上に散布される。一方冷媒ポンプ５により蒸発器Ｅに送られた冷媒は、温水管１０を通る熱源温水１０２により加熱され蒸発し、該冷媒蒸気は流路７を経て吸収器Ａに達し前記散布された濃溶液に吸収され、濃溶液は希溶液となる。この際の吸収熱により濃溶液は加熱され沸点上昇に相当する高温度に達し、蒸発管１２の伝熱面を加熱し、蒸発管１２を通る水１０３を加熱し、蒸気１０４が発生し、蒸気管１３から排出される。
【００１８】
吸収器Ａの希溶液は希溶液管４を通り、熱交換器１４で補給水管３を通る水１０３を加熱し、溶液熱交換器Ｘで濃溶液管２を通る濃溶液を加熱し再生器Ｇに戻る。熱交換器１４で水１０３を加熱し、この温度を蒸発圧力に対する過熱状態或いは蒸気を発生させられる状態にすると、吸収器Ａの入口付近の伝熱を大幅に改良することができる。再生器Ｇで発生した蒸気は流路８を通って凝縮器Ｃに達し、冷却水管９を通る冷却水１０１により冷却され凝縮し、サイクルが繰り返される。なお、熱交換器１４は、吸収器Ａ内に設けることにより、吸収器Ａの溶液で加熱してもよい。その場合の熱交換器１４の位置は、吸収器Ａの入口でも中間でも出口でもよい。
【００１９】
吸収器Ａには、該出口液面を検出する液面計１７が設けられており、該液面計１７の検出出力を溶液ポンプ１を駆動するインバータ１８に送り、該溶液ポンプ１を制御することにより、再生器Ｇから吸収器Ａに送る濃溶液の流量を制御して、吸収器Ａの出口液面の液位を指定レベルに確保する。また、蒸発器Ｅにも液面を検出する液面計１９が設けられており、液面計１９の検出出力を制御弁２０に出力し、該制御弁２０を制御して、凝縮器Ｃから供給される冷媒流量を制御して、蒸発器Ｅの液面を確保する。また、蒸気管１３には蒸気の温度を検出する温度計２１が設けられおり、この検出出力で蒸気管１３を通る蒸気の過熱度を目標値になるように、補給水ポンプ１６を制御して水１０３の流量を制御することにより、液滴を含まない水蒸気１０４を得ることができる。
【００２０】
上記のように吸収器Ａの蒸発管１２で補給水管３から供給される被加熱媒体液である水１０３を加熱し、高温の蒸気１０４とすることにより、被加熱媒体液である水の流量を少なくできる。例えば蒸発管１２の出入口温度差を例えば５Ｋとすると、これを蒸気１０４の形態で得る場合は高温水の形態で得る場合に比較し、１００分の１の流量となる。被加熱媒体液である水１０３の流量を増やし伝熱を良くし、図２で示すように気液分離器２２を設けて気液分離する形態をとる場合でも、約５０分の１の流量で済み、補給水ポンプ１６の動力を大幅に削減できる。
【実施例２】
【００２１】
図２は本発明に係る吸収式ヒートポンプの他の構成例を示す図である。図２において、図１と同一符号を付した部分は同一又は相当部分を示す。他の図においても同様とする。図２に示すように本吸収式ヒートポンプは吸収器Ａの蒸発管１２の出口に気液分離器２２を接続すると共に、補給水管３を該気液分離器２２に接続し、該気液分離器２２に供給された水１０３及び気水分離された水をポンプ２３で蒸発管１２に送るようにしている。また、気液分離器２２には液面計２４を設け、該液面計２４の検出出力で補給水ポンプ１６を制御することにより、気液分離器２２内の液面の液位を所定レベルに確保する。
【００２２】
上記のように気液分離器２２を設け、蒸発量の１〜２倍程度の被加熱媒体液である水１０３を吸収器Ａの蒸発管１２に導入することにより、被加熱媒体側の伝熱係数を上げることができ、より高温の蒸気を得ることができる。但しこの場合、ポンプが２台（補給水ポンプ１６とポンプ２３）になる。なお、液面の位置を高くし、ポンプ２３に代えて、気泡ポンプとすることもできる。
【実施例３】
【００２３】
図３は本発明に係る吸収式ヒートポンプの他の構成例を示す図である。図３に示すように本吸収式ヒートポンプは、凝縮器Ｃに予熱管２５を設け、該予熱管２５に補給水管３を接続し、補給水ポンプ１６により被加熱媒体液である水１０３を先ず凝縮器Ｃの冷媒蒸気で加熱し、次に蒸発器Ｅに設けた伝熱管１５−１を通して蒸発器Ｅ内で発生する冷媒蒸気により加熱し、続いて熱交換器１５で熱源温水１０２で加熱し、更に熱交換器１４で吸収器Ａからの希溶液で加熱し、気液分離器２２に送っている。また、気液分離器２２の液面計２４の検出出力により制御弁２６を制御して水１０３の流量を制御し、気液分離器２２内の液面の液位を所定レベルに確保する。このように、加熱媒体液である水１０３を最初に凝縮器Ｃの予熱管２５に導き再生器Ｇからの冷媒蒸気と熱交換させることにより、加熱媒体液である水１０３が冷媒蒸気の飽和温度より低ければ、冷媒蒸気は凝縮し、水１０３は加熱される。なお、熱交換器１５を省略し、蒸発器Ｅに設けた伝熱管１５−１により、水１０３を蒸発器Ｅからの冷媒蒸気で加熱するようにしてもよい。そうした場合、熱交換器１５よりも熱交換器が簡易に設けられる。また、予熱管２５を冷却水管９より再生器Ｇ寄りに設置するほうが好ましい。そうした場合、再生器Ｇで加熱された溶液からは、溶液と同じ温度の過熱状態の蒸気が発生しているため、給水をより効率的に加熱できる。
【実施例４】
【００２４】
図４は本発明に係る吸収式ヒートポンプの他の構成例を示す図である。本吸収式ヒートポンプは２段昇温の例を示す。図４に示すように、高温吸収器ＡＨと気液分離器ＥＨＳが設けられている。ここで図１及び図３における吸収器Ａは低温吸収器となり、蒸発器Ｅは低温蒸発器となる。また、高温蒸発器ＥＨは低温吸収器Ａの被加熱側となる。凝縮器Ｃから冷媒管６を通って送られる冷媒液は制御弁３２及び冷媒分岐管３０を通って気液分離器ＥＨＳに供給される。一方高温蒸発器ＥＨからの冷媒蒸気は冷媒管３４−１を通って気液分離器ＥＨＳに送られる。これにより気液分離器ＥＨＳで凝縮器Ｃから冷媒液は加熱蒸発される。気液分離された冷媒液は冷媒管３４−２を通って低温吸収器Ａに戻る。気液分離器ＥＨＳ内にはバッフル板３３が設けられている。熱交換器１４は低温吸収器Ａの出口溶液を加熱流体としているが、熱交換器１４を低温吸収器Ａ内に設け、該低温吸収器Ａ内の溶液を加熱流体としてもよい。また、低温吸収器Ａの溶液に代えて、高温蒸発器ＥＨの冷媒蒸気を加熱源としてもよい。
【００２５】
再生器Ｇから濃溶液は溶液ポンプ１により、溶液熱交換器Ｘ、及び熱交換器３９を通って加熱（予熱）され高温吸収器ＡＨに送られ、ここで気液分離器ＥＨＳからの冷媒蒸気は濃溶液に吸収され、濃溶液は希溶液となる。この際の吸収熱により濃溶液は加熱され沸点上昇に相当する高温度に達し、蒸発管３５の伝熱面を加熱し、蒸発管３５を通る水１０３は加熱され蒸気となる。該水蒸気は気液分離器２２に導入され、気液分離され、水蒸気１０４が蒸気管１３から排出される。
【００２６】
高温吸収器ＡＨの希溶液は希溶液管３７を通って熱交換器３８で気液分離器２２に供給される水１０３を加熱し、更に熱交換器３９で高温吸収器ＡＨに送られる濃溶液を加熱して、制御弁４０を通って低温吸収器Ａに流入する。低温吸収器Ａの出口液面を検出する液面計１７の出力で制御弁４０を制御し、低温吸収器Ａの出口の液面の液位を所定レベルに確保する。また、高温吸収器ＡＨには出口液面を検出する液面計３６が設けられており、該液面計３６の検出出力を溶液ポンプ１を駆動するインバータ１８に送り、該溶液ポンプ１を制御することにより、高温吸収器ＡＨに送る濃溶液の流量を制御して、高温吸収器ＡＨの出口の液面の液位を所定レベルに確保する。また、気液分離器ＥＨＳには液面計３１が設けられており、該液面計３１の検出出力で制御弁３２を制御して、気液分離器ＥＨＳの液面の液位を所定レベルに確保する。また、低温蒸発器Ｅの液面位も液面計１９の検出出力で制御弁２０を制御して凝縮器Ｃからの冷媒液供給量を調整して所定レベルに確保する。
【００２７】
なお、図１乃至図４に示す構成の吸収式ヒートポンプにおいては、蒸発器Ｅを冷媒液中に熱源温水１０２を導く温水管１０を配設した構成としたが、蒸発器Ｅは図５に示すよう熱源温水１０２を導く温水管１０上に凝縮器Ｃからの冷媒液を散布する散布式の蒸発器としてもよいことは当然である。
【実施例５】
【００２８】
図５は本発明に係る吸収式ヒートポンプの他の構成例を示す図である。本吸収式ヒートポンプが図１乃至図４に示す吸収式ヒートポンプと異なる点は、図１乃至図４の吸収式ヒートポンプでは熱交換器１４と溶液熱交換器Ｘに吸収器Ａからの希溶液を直列に流しているのに対し、図５の吸収式ヒートポンプでは、吸収器Ａからの希溶液を熱交換器１４と溶液熱交換器Ｘに並列に流している点である。熱交換器１４で補給水管３を通る水１０３を加熱した希溶液と、溶液熱交換器Ｘで濃溶液管２を通る濃溶液を加熱した希溶液は合流して、再生器Ｇに供給され、熱源温水１０２が通る温水管１１上に散布される。
【００２９】
なお、本吸収式ヒートポンプでは、蒸発器Ｅを図５に示すように、熱源温水１０２を導く温水管１０上に凝縮器Ｃからの冷媒液を散布する散布式を採用しているが、蒸発器Ｅは図１乃至図４に示すように、冷媒液中に温水管１０を配設した構成の蒸発器を用いてもよいことは当然である。
【００３０】
図１乃至図５に示す構成の吸収式ヒートポンプにおいて、吸収器Ａ又は高温吸収器ＡＨに送る被加熱媒体液である水１０３を熱源温水１０２で加熱する熱交換器１５、吸収器Ａ又は高温吸収器ＡＨからの希溶液（吸収溶液）で加熱する熱交換器１４で加熱（予熱）し、吸収器Ａ又は高温吸収器ＡＨ又は気液分離器２２へ導入している。これによりＣＯＰ＝被加熱媒体の加熱量／熱源熱量、ＣＯＰＸ＝吸収器Ａ又は高温吸収器ＡＨにおける加熱量／熱源熱量としたとき、図１乃至図３及び図５の１段昇温ではＣＯＰＸが０．４〜０．５程度である。また、図４の２段昇温ではＣＯＰＸが０．２６〜０．３３程度である。被加熱媒体液である水１０３の予熱を熱源温水１０２で行うと、予熱部では、被加熱媒体／熱源熱量＝１であるので、ＣＯＰ＞ＣＯＰＸとすることができる。また、吸収器Ａ又は高温吸収器ＡＨの溶液の顕熱で予熱すると、被加熱媒体／熱源熱量はＣＯＰＸよりも高い値となり、ＣＯＰを良くすることができる。被加熱媒体の水１０３の予熱は、蒸発器Ｅからの冷媒蒸気によっても同様の効果が得られる。
【実施例６】
【００３１】
図６は本発明に係る吸収式ヒートポンプの他の構成例を示す図である。本吸収式ヒートポンプが図１に示す吸収式ヒートポンプと異なる点は、本吸収式ヒートポンプでは再生器Ｇと蒸発器Ｅの熱源に排蒸気１１０を用いる点である。図示するように、排蒸気１１０を蒸発器Ｅ内に配置した蒸気管４１と再生器Ｇ内に配置した蒸気管４２に並列に流し、蒸発器Ｅ内で冷媒液の加熱、再生器Ｇ内で希溶液を加熱する。蒸気管４１及び蒸気管４２内で熱を失った排蒸気１１０は凝縮してドレンになるが、このドレンは蒸気の飽和温度と同程度の高温であるためドレン熱交換器４３を通し、該ドレン熱交換器４３で補給水管３を通る水１０３を予熱しドレン１１１として排出する。このように熱源として排蒸気を使用しても図１に示す吸収式ヒートポンプと同様の作用効果が得られる。
【００３２】
図７は本発明に係る吸収式ヒートポンプにおいて、再生器Ｇ及び蒸発器Ｅの熱源として熱源温水１０２を用い、該熱源温水１０２を直列に接続した蒸発器Ｅ→再生器Ｇと流す場合の被加熱媒体である水１０３の予熱のパターンを示す図である。図７（Ａ）は水１０３を凝縮器Ｃの凝縮熱で予熱して吸収器Ａに供給する場合を示す。図７（Ｂ）は水１０３を凝縮器Ｃの凝縮熱で予熱し、更に熱交換器５０で直列に接続した蒸発器Ｅ及び再生器Ｇを通った熱源温水１０２で予熱し、吸収器Ａに供給する場合を示す。図７（Ｃ）は水１０３を凝縮器Ｃの凝縮熱で予熱し、更に熱交換器５１で蒸発器Ｅを通った熱源温水１０２で予熱し、吸収器Ａに供給する場合を示す。図７（Ｄ）は水１０３を凝縮器Ｃの凝縮熱で予熱し、更に熱交換器５２で直列に接続した蒸発器Ｅ及び再生器Ｇを通る前の熱源温水１０２で予熱し、吸収器Ａに供給する場合を示す。図７（Ｅ）は水１０３を凝縮器Ｃの凝縮熱で予熱し、更に熱交換器５３で直列に接続した蒸発器Ｅ及び再生器Ｇをバイパスして流れる熱源温水１０２で予熱し、吸収器Ａに供給する場合を示す。
【００３３】
図７（Ｆ）〜（Ｔ）はいずれも吸収式ヒートポンプが再生器Ｇから吸収器Ａに供給される濃溶液と吸収器Ａから再生器Ｇに供給される希溶液間で熱交換を行なう溶液熱交換器Ｈｅｘを備えた構成であり（溶液熱交換器ＨｅｘはＦ〜Ｔに限らずすべての吸収ヒートポンプに備えられている）、且つ水１０３を凝縮器Ｃの凝縮熱で予熱するものである。図７（Ｆ）は凝縮器Ｃの凝縮熱で予熱した水１０３を熱交換器５４で溶液熱交換器Ｈｅｘを通って再生器Ｇから吸収器Ａに供給される濃溶液を加熱した吸収器Ａからの希溶液で予熱して吸収器Ａに供給する場合を示す。図７（Ｇ）は凝縮器Ｃの凝縮熱で予熱した水１０３を熱交換器５５で溶液熱交換器Ｈｅｘを通る前の吸収器Ａからの希溶液で予熱し吸収器Ａに供給する場合を示す。図７（Ｈ）は凝縮器Ｃの凝縮熱で予熱した水１０３を熱交換器５６で溶液熱交換器Ｈｅｘをバイパスして流入する吸収器Ａからの希溶液で予熱し吸収器Ａに供給する場合を示す。
【００３４】
図７（Ｉ）は凝縮器Ｃの凝縮熱で予熱した水１０３を熱交換器５０で直列に接続した蒸発器Ｅ及び再生器Ｇを通った熱源温水１０２で予熱し、更に熱交換器５４で溶液熱交換器Ｈｅｘを通って再生器Ｇから吸収器Ａに供給される濃溶液を加熱した吸収器Ａからの希溶液で予熱して吸収器Ａに供給する場合を示す。図７（Ｊ）は凝縮器Ｃの凝縮熱で予熱した水１０３を熱交換器５１で蒸発器Ｅを通った熱源温水１０２で予熱し、更に熱交換器５４で溶液熱交換器Ｈｅｘを通って再生器Ｇから吸収器Ａに供給される濃溶液を加熱した吸収器Ａからの希溶液で予熱して吸収器Ａに供給する場合を示す。図７（Ｋ）は凝縮器Ｃの凝縮熱で予熱した水１０３を熱交換器５４で溶液熱交換器Ｈｅｘを通って再生器Ｇから吸収器Ａに供給される濃溶液を加熱した吸収器Ａからの希溶液で予熱し、更に熱交換器５２で直列に接続した蒸発器Ｅ及び再生器Ｇを通る前の熱源温水１０２で予熱し、吸収器Ａに供給する場合を示す。図７（Ｌ）は凝縮器Ｃの凝縮熱で予熱した水１０３を熱交換器５３で直列に接続した蒸発器Ｅ及び再生器Ｇをバイパスして流入する熱源温水１０２で予熱し、更に熱交換器５４で溶液熱交換器Ｈｅｘを通って再生器Ｇから吸収器Ａに供給される濃溶液を加熱した吸収器Ａからの希溶液で予熱して吸収器Ａに供給する場合を示す。
【００３５】
図７（Ｍ）は凝縮器Ｃの凝縮熱で予熱した水１０３を熱交換器５０で直列に接続した蒸発器Ｅ及び再生器Ｇを通った熱源温水１０２で予熱し、更に熱交換器５５で溶液熱交換器Ｈｅｘを通る前の吸収器Ａからの希溶液で予熱して吸収器Ａに供給する場合を示す。図７（Ｎ）は凝縮器Ｃの凝縮熱で予熱した水１０３を熱交換器５１で蒸発器Ｅを通った熱源温水１０２で予熱し、更に熱交換器５５で溶液熱交換器Ｈｅｘを通る前の吸収器Ａからの希溶液で予熱して吸収器Ａに供給する場合を示す。図７（Ｏ）は凝縮器Ｃの凝縮熱で予熱した水１０３を熱交換器５５で溶液熱交換器Ｈｅｘを通る前の吸収器Ａからの希溶液で予熱し、更に熱交換器５２で直列に接続した蒸発器Ｅ及び再生器Ｇを通る前の熱源温水１０２で予熱し、吸収器Ａに供給する場合を示す。図７（Ｐ）は凝縮器Ｃの凝縮熱で予熱した水１０３を熱交換器５３で直列に接続した蒸発器Ｅ及び再生器Ｇをバイパスして流入する熱源温水１０２で予熱し、更に熱交換器５５で溶液熱交換器Ｈｅｘを通る前の吸収器Ａからの希溶液で予熱して吸収器Ａに供給する場合を示す。
【００３６】
図７（Ｑ）は凝縮器Ｃの凝縮熱で予熱した水１０３を熱交換器５０で直列に接続した蒸発器Ｅ及び再生器Ｇを通った熱源温水１０２で予熱し、更に熱交換器５６で吸収器Ａから溶液熱換器Ｈｅをバイパスして流入する吸収器Ａからの希溶液で予熱して吸収器Ａに供給する場合を示す。図７（Ｒ）は凝縮器Ｃの凝縮熱で予熱した水１０３を熱交換器５１で蒸発器Ｅを通った熱源温水１０２で予熱し、更に熱交換器５６で溶液熱換器Ｈｅをバイパスして流入する吸収器Ａからの希溶液で予熱して吸収器Ａに供給する場合を示す。図７（Ｓ）は凝縮器Ｃの凝縮熱で予熱した水１０３を熱交換器５６で溶液熱交換器Ｈｅｘをバイパスして流入する吸収器Ａからの希溶液で予熱し、更に熱交換器５２で直列に接続した蒸発器Ｅ及び再生器Ｇを通る前の熱源温水１０２で予熱し、吸収器Ａに供給する場合を示す。図７（Ｔ）は凝縮器Ｃの凝縮熱で予熱した水１０３を熱交換器５３で直列に接続した蒸発器Ｅ及び再生器Ｇをバイパスして流入する熱源温水１０２で予熱し、更に熱交換器５６で溶液熱交換器Ｈｅｘをバイパスして流入する吸収器Ａからの希溶液で予熱して吸収器Ａに供給する場合を示す。
【００３７】
図８は本発明に係る吸収式ヒートポンプにおいて、再生器Ｇ及び蒸発器Ｅの熱源として熱源温水１０２を用い、該熱源温水１０２を直列に接続した再生器Ｇ→蒸発器Ｅと流す場合の水１０３の予熱パターンを示す図である。図８（Ａ）は水１０３を凝縮器Ｃの凝縮熱で予熱して吸収器Ａに供給する場合を示す。図８（Ｂ）は水１０３を凝縮器Ｃの凝縮熱で予熱し、更に熱交換器５０で直列に接続した再生器Ｇ及び蒸発器Ｅを通った熱源温水１０２で予熱し、吸収器Ａに供給する場合を示す。図８（Ｃ）は水１０３を凝縮器Ｃの凝縮熱で予熱し、更に熱交換器５１で再生器Ｇを通った熱源温水１０２で予熱し、吸収器Ａに供給する場合を示す。図８（Ｄ）は水１０３を凝縮器Ｃの凝縮熱で予熱し、更に熱交換器５２で直列に接続した再生器Ｇ及び蒸発器Ｅを通る前の熱源温水１０２で予熱し、吸収器Ａに供給する場合を示す。図８（Ｅ）は水１０３を凝縮器Ｃの凝縮熱で予熱し、更に熱交換器５３で直列に接続した再生器Ｇ及び蒸発器Ｅをバイパスして流入する熱源温水１０２で予熱し、吸収器Ａに供給する場合を示す。
【００３８】
図８（Ｆ）〜（Ｔ）はいずれも吸収式ヒートポンプが再生器Ｇから吸収器Ａに供給される濃溶液と吸収器Ａから再生器Ｇに供給される希溶液間で熱交換を行なう溶液熱交換器Ｈｅｘを備えた構成であり（溶液熱交換器ＨｅｘはＦ〜Ｔに限らずすべての吸収ヒートポンプに備えられている）、且つ水１０３を凝縮器Ｃの凝縮熱で予熱するものである。図８（Ｆ）は凝縮器Ｃの凝縮熱で予熱した水１０３を熱交換器５４で溶液熱交換器Ｈｅｘを通って再生器Ｇから吸収器Ａに供給される濃溶液を加熱した吸収器Ａからの希溶液で予熱して吸収器Ａに供給する場合を示す。図８（Ｇ）は凝縮器Ｃの凝縮熱で予熱した水１０３を熱交換器５５で溶液熱交換器Ｈｅｘを通る前の吸収器Ａからの希溶液で予熱し吸収器Ａに供給する場合を示す。図８（Ｈ）は凝縮器Ｃの凝縮熱で予熱した水１０３を熱交換器５６で溶液熱交換器Ｈｅｘをバイパスして流入する吸収器Ａからの希溶液で予熱し吸収器Ａに供給する場合を示す。
【００３９】
図８（Ｉ）は凝縮器Ｃの凝縮熱で予熱した水１０３を熱交換器５０で直列に接続した再生器Ｇ及び蒸発器Ｅを通った熱源温水１０２で予熱し、更に熱交換器５４で溶液熱交換器Ｈｅｘを通って再生器Ｇから吸収器Ａに供給される濃溶液を加熱した吸収器Ａからの希溶液で予熱して吸収器Ａに供給する場合を示す。図８（Ｊ）は凝縮器Ｃの凝縮熱で予熱した水１０３を熱交換器５１で再生器Ｇを通った熱源温水１０２で予熱し、更に熱交換器５４で溶液熱交換器Ｈｅｘを通って再生器Ｇから吸収器Ａに供給される濃溶液を加熱した吸収器Ａからの希溶液で予熱して吸収器Ａに供給する場合を示す。図８（Ｋ）は凝縮器Ｃの凝縮熱で予熱した水１０３を熱交換器５４で溶液熱交換器Ｈｅｘを通って再生器Ｇから吸収器Ａに供給される濃溶液を加熱した吸収器Ａからの希溶液で予熱し、更に熱交換器５２で直列に接続した再生器Ｇ及び蒸発器Ｅを通る前の熱源温水１０２で予熱し、吸収器Ａに供給する場合を示す。図８（Ｌ）は凝縮器Ｃの凝縮熱で予熱した水１０３を熱交換器５３で直列に接続した蒸発器Ｅ及び再生器Ｇをバイパスして流入する熱源温水１０２で予熱し、更に熱交換器５４で溶液熱交換器Ｈｅｘを通って再生器Ｇから吸収器Ａに供給される濃溶液を加熱した吸収器Ａからの希溶液で予熱して吸収器Ａに供給する場合を示す。
【００４０】
図８（Ｍ）は凝縮器Ｃの凝縮熱で予熱した水１０３を熱交換器５０で直列に接続した再生器Ｇ及び蒸発器Ｅを通った熱源温水１０２で予熱し、更に熱交換器５５で溶液熱換器Ｈｅｘを通る前の吸収器Ａからの希溶液で予熱して吸収器Ａに供給する場合を示す。図８（Ｎ）は凝縮器Ｃの凝縮熱で予熱した水１０３を熱交換器５１で再生器Ｇを通った熱源温水１０２で予熱し、更に熱交換器５５で溶液熱交換器Ｈｅｘを通る前の吸収器Ａからの希溶液で予熱して吸収器Ａに供給する場合を示す。図８（Ｏ）は凝縮器Ｃの凝縮熱で予熱した水１０３を熱交換器５５で溶液熱交換器Ｈｅｘを通る前の吸収器Ａからの希溶液で予熱し、更に熱交換器５２で直列に接続した再生器Ｇ及び蒸発器Ｅを通る前の熱源温水１０２で予熱し、吸収器Ａに供給する場合を示す。図８（Ｐ）は凝縮器Ｃの凝縮熱で予熱した水１０３を熱交換器５３で直列に接続した再生器Ｇ及び蒸発器Ｅをバイパスして流れる熱源温水１０２で予熱し、更に熱交換器５５で溶液熱交換器Ｈｅｘを通る前の吸収器Ａからの希溶液で予熱して吸収器Ａに供給する場合を示す。
【００４１】
図８（Ｑ）は凝縮器Ｃの凝縮熱で予熱した水１０３を熱交換器５０で直列に接続された再生器Ｇ及び蒸発器Ｅを通った熱源温水１０２で予熱し、更に熱交換器５６で吸収器Ａから溶液熱交換器Ｈｅｘをバイパスして流入する希溶液で予熱して吸収器Ａに供給する場合を示す。図８（Ｒ）は凝縮器Ｃの凝縮熱で予熱した水１０３を熱交換器５１で再生器Ｇを通った熱源温水１０２で予熱し、更に熱交換器５６で吸収器Ａから溶液熱交換器Ｈｅｘをバイパスして流入する希溶液で予熱して吸収器Ａに供給する場合を示す。図８（Ｓ）は凝縮器Ｃの凝縮熱で予熱した水１０３を熱交換器５６で吸収器Ａから溶液熱交換器Ｈｅｘをバイパスして流入する希溶液で予熱し、更に熱交換器５２で直列に接続した蒸発器Ｅ及び再生器Ｇを通る前の熱源温水１０２で予熱し、吸収器Ａに供給する場合を示す。図８（Ｔ）は凝縮器Ｃの凝縮熱で予熱した水１０３を熱交換器５３で直列に接続した蒸発器Ｅ及び再生器Ｇをバイパスして流入する熱源温水１０２で予熱し、更に熱交換器５６で吸収器Ａから溶液熱交換器Ｈｅｘをバイパスして流入する希溶液で予熱して吸収器Ａに供給する場合を示す。
【００４２】
図９は本発明に係る吸収式ヒートポンプにおいて、再生器Ｇ及び蒸発器Ｅの熱源として熱源温水１０２を用い、該熱源温水１０２を並列に接続した再生器Ｇと蒸発器Ｅに流す場合の水１０３の予熱パターンを示す図である。図９（Ａ）は水１０３を凝縮器Ｃの凝縮熱で予熱して吸収器Ａに供給する場合を示す。図９（Ｂ）は水１０３を凝縮器Ｃの凝縮熱で予熱し、更に熱交換器５０で並列に接続した再生器Ｇ及び蒸発器Ｅを通って合流した熱源温水１０２で予熱し、吸収器Ａに供給する場合を示す。図９（Ｃ）は水１０３を凝縮器Ｃの凝縮熱で予熱し、更に熱交換器５２で並列に接続した再生器Ｇ及び蒸発器Ｅを通る前の熱源温水１０２で予熱し、吸収器Ａに供給する場合を示す。図９（Ｄ）は水１０３を凝縮器Ｃの凝縮熱で予熱し、更に熱交換器５３で並列に接続した蒸発器Ｅ及び再生器Ｇをバイパスして流入する熱源温水１０２で予熱し、吸収器Ａに供給する場合を示す。
【００４３】
図９（Ｅ）〜（Ｐ）はいずれも吸収式ヒートポンプが再生器Ｇから吸収器Ａに供給される濃溶液と吸収器Ａから再生器Ｇに供給される希溶液間で熱交換を行なう溶液熱交換器Ｈｅｘを備えた構成であり（溶液熱交換器ＨｅｘはＥ〜Ｐに限らずすべての吸収ヒートポンプに備えられている）、且つ被加熱媒体としての水１０３を凝縮器Ｃの凝縮熱で予熱するものである。図９（Ｅ）は凝縮器Ｃの凝縮熱で予熱した水１０３を熱交換器５４で溶液熱交換器Ｈｅｘを通って再生器Ｇから吸収器Ａに供給される濃溶液を加熱した吸収器Ａからの希溶液で予熱して吸収器Ａに供給する場合を示す。図９（Ｆ）は凝縮器Ｃの凝縮熱で予熱した水１０３を熱交換器５５で溶液熱交換器Ｈｅｘを通る前の吸収器Ａからの希溶液で予熱し吸収器Ａに供給する場合を示す。図９（Ｇ）は凝縮器Ｃの凝縮熱で予熱した水１０３を熱交換器５６で溶液熱交換器Ｈｅｘをバイパスして流入する吸収器Ａからの希溶液で予熱し吸収器Ａに供給する場合を示す。
【００４４】
図９（Ｈ）は凝縮器Ｃの凝縮熱で予熱した水１０３を熱交換器５０で並列に接続した再生器Ｇ及び蒸発器Ｅを通った後合流した熱源温水１０２で予熱し、更に熱交換器５４で溶液熱交換器Ｈｅｘを通って再生器Ｇから吸収器Ａに供給される濃溶液を加熱した吸収器Ａからの希溶液で予熱して吸収器Ａに供給する場合を示す。図９（Ｉ）は凝縮器Ｃの凝縮熱で予熱した水１０３を熱交換器５４で溶液熱換器Ｈｅｘを通って再生器Ｇから再生器Ａに供給される濃溶液を加熱した吸収器Ａからの希溶液で予熱し、更に熱交換器５２で並列に接続した再生器Ｇ及び蒸発器Ｅを通る前の熱源温水１０２で予熱し、吸収器Ａに供給する場合を示す。図９（Ｊ）は凝縮器Ｃの凝縮熱で予熱した水１０３を熱交換器５３で並列に接続した蒸発器Ｅ及び再生器Ｇをバイパスして流入する熱源温水１０２で予熱し、更に熱交換器５４で溶液熱交換器Ｈｅｘを通って再生器Ｇから吸収器Ａに供給される濃溶液を加熱した吸収器Ａからの希溶液で予熱して吸収器Ａに供給する場合を示す。
【００４５】
図９（Ｋ）は凝縮器Ｃの凝縮熱で予熱した水１０３を熱交換器５０で並列に接続した再生器Ｇ及び蒸発器Ｅを通った後合流した熱源温水１０２で予熱し、更に熱交換器５５で溶液熱交換器Ｈｅｘを通る前の吸収器Ａからの希溶液で予熱して吸収器Ａに供給する場合を示す。図９（Ｌ）は凝縮器Ｃの凝縮熱で予熱した水１０３を熱交換器５５で溶液熱交換器Ｈｅｘを通る前の吸収器Ａからの希溶液で予熱し、更に熱交換器５２で並列に接続した再生器Ｇ及び蒸発器Ｅを通る前の熱源温水１０２で予熱し、吸収器Ａに供給する場合を示す。図９（Ｍ）は凝縮器Ｃの凝縮熱で予熱した水１０３を熱交換器５３で並列に接続した再生器Ｇ及び蒸発器Ｅをバイパスして流入する熱源温水１０２で予熱し、更に熱交換器５５で溶液熱交換器Ｈｅｘを通る前の吸収器Ａからの希溶液で予熱して吸収器Ａに供給する場合を示す。
【００４６】
図９（Ｎ）は凝縮器Ｃの凝縮熱で予熱した水１０３を熱交換器５０で並列に接続した再生器Ｇと蒸発器Ｅを通った後合流した熱源温水１０２で予熱し、更に熱交換器５６で吸収器Ａから溶液熱交換器Ｈｅｘをバイパスして流入する希溶液で予熱して吸収器Ａに供給する場合を示す。図９（Ｏ）は凝縮器Ｃの凝縮熱で予熱した水１０３を熱交換器５６で溶液熱交換器Ｈｅｘをバイパスして流入する吸収器Ａからの希溶液で予熱し、更に熱交換器５２で並列に接続した蒸発器Ｅ及び再生器Ｇを通る前の熱源温水１０２で予熱し、吸収器Ａに供給する場合を示す。図９（Ｐ）は凝縮器Ｃの凝縮熱で予熱した水１０３を熱交換器５３で並列に接続した蒸発器Ｅ及び再生器Ｇをバイパスして流入する熱源温水１０２で予熱し、更に熱交換器５６で吸収器Ａから溶液熱交換器Ｈｅｘをバイパスした希溶液で予熱して吸収器Ａに供給する場合を示す。
【００４７】
図１０は本発明に係る２段昇温吸収式ヒートポンプの予熱パターンを示す図で、本吸収式ヒートポンプは、凝縮器Ｃ、蒸発器Ｅ、再生器Ｇ、低温吸収器ＡＬ、高温蒸発器ＥＨ、及び高温吸収器ＡＨを備えた吸収式ヒートポンプであり、再生器Ｇ及び蒸発器Ｅの熱源として熱源温水１０２を用いている。そして再生器Ｇから高温吸収器ＡＨに供給される濃溶液１２０と、高温吸収器ＡＨから低温吸収器ＡＬに供給される希溶液１２１と、低温吸収器ＡＬから再生器Ｇに供給される希溶液１２２との間で熱交換を行なう溶液熱交換器Ｈｅｘ１、溶液熱交換器Ｈｅｘ２を備えている。水１０３を凝縮器Ｃの凝縮熱で予熱し、熱交換器５０で直列に接続した再生器Ｇ及び蒸発器Ｅを通った熱源温水１０２で予熱し、熱交換器５９で溶液熱交換器Ｈｅｘ２をバイパスして流入する低温吸収器ＡＬから再生器Ｇに供給される希溶液１２２で予熱し、更に熱交換器６０で溶液熱交換器Ｈｅｘ１をバイパスして高温吸収器ＡＨから低温吸収器ＡＬに供給される希溶液１２１で予熱して高温吸収器ＡＨに供給されるようになっている。
【００４８】
図１１は本発明に係る２段昇温吸収式ヒートポンプの予熱パターンを示す図で、本吸収式ヒートポンプは、凝縮器Ｃ、蒸発器Ｅ、再生器Ｇ、低温吸収器ＡＬ、高温蒸発器ＥＨ、及び高温吸収器ＡＨを備えた吸収式ヒートポンプであり、再生器Ｇ及び蒸発器Ｅの熱源として熱源温水１０２を用いている。そして高温吸収器ＡＨから再生器Ｇに供給される希溶液１２３と、低温吸収器ＡＬから高温吸収器ＡＨに供給される濃溶液１２４と、再生器Ｇから低温吸収器ＡＬに供給される濃溶液１２５との間で熱交換を行なう溶液熱交換器Ｈｅｘ１、溶液熱交換器Ｈｅｘ２を備えている。水１０３を凝縮器Ｃの凝縮熱で予熱し、熱交換器５０で直列に接続した再生器Ｇ及び蒸発器Ｅを通った熱源温水１０２で予熱し、熱交換器６２で溶液熱交換器Ｈｅｘ２をバイパスして流入する並列に接続した溶液熱交換器Ｈｅｘ１及び熱交換器６１を通った後合流した高温吸収器ＡＨからの希溶液１２３で予熱し、更に熱交換器６１で溶液熱交換器Ｈｅｘ１をバイパスして流入する高温吸収器ＡＨからの希溶液１２３で予熱して高温吸収器に供給されるようになっている。
【００４９】
図７（Ａ）、図８（Ａ）、図９（Ａ）に示すように本吸収ヒートポンプは凝縮器Ｃの放熱、即ち冷媒の凝縮熱を被加熱媒体である水１０３の予熱に利用する。この冷媒の凝縮熱は、本来冷却塔等に捨てる熱であるから、回収して水１０３の予熱源として利用することが望ましい。水１０３が凝縮器Ｃより低温の場合に利用することができ、例えば、冷却塔の冷却水の水温が３５℃、水１０３の水温が２５℃であれば、水１０３を約１０℃昇温できる。熱は凝縮器Ｃから直接とってもよいし冷却水からとってもよい。
【００５０】
本発明に係る吸収ヒートポンプの熱源として、排温水、排ガス、排蒸気等各種熱源を利用できる。ここでは排温水である熱源温水１０２を利用している。排温水は吸収器Ａで発生する吸収熱より一般に温度が低いが熱量は豊富にあるため、予熱源として利用することによって、凝縮器Ｃよりも高い温度まで予熱することができる。予熱の位置、熱源の組み合わせパターンは、例えば、図７（Ｂ）〜（Ｔ）、図８（Ｂ）〜（Ｔ）、図９（Ｂ）〜（Ｐ）に示すように種々のパターンが考えられる。
【００５１】
また、多段昇温吸収ヒートポンプの場合も同様に、被加熱媒体である水１０３の予熱によって低温吸収器ＡＬ、高温吸収器ＡＨで発生させる熱量を増やす効果を得ることができる。２段昇温や多段昇温の場合、溶液による予熱サイクルの各部を考えることができる。図１０、図１１は２段昇温の場合の例を示す。
【００５２】
以上本発明の実施形態を説明したが、本発明は上記実施形態に限定されるものではなく、特許請求の範囲、及び明細書と図面に記載された技術的思想の範囲内において種々の変形が可能である。
【図面の簡単な説明】
【００５３】
【図１】本発明に係る吸収式ヒートポンプの構成例を示す図である。（実施例１）
【図２】本発明に係る吸収式ヒートポンプの構成例を示す図である。（実施例２）
【図３】本発明に係る吸収式ヒートポンプの構成例を示す図である。（実施例３）
【図４】本発明に係る吸収式ヒートポンプの構成例を示す図である。（実施例４）
【図５】本発明に係る吸収式ヒートポンプの構成例を示す図である。（実施例５）
【図６】本発明に係る吸収式ヒートポンプの構成例を示す図である。（実施例６）
【図７−１】本発明に係る吸収式ヒートポンプの予熱パターン例を示す図である。
【図７−２】本発明に係る吸収式ヒートポンプの予熱パターン例を示す図である。
【図８−１】本発明に係る吸収式ヒートポンプの予熱パターン例を示す図である。
【図８−２】本発明に係る吸収式ヒートポンプの予熱パターン例を示す図である。
【図９−１】本発明に係る吸収式ヒートポンプの予熱パターン例を示す図である。
【図９−２】本発明に係る吸収式ヒートポンプの予熱パターン例を示す図である。
【図１０】本発明に係る２段昇温吸収式ヒートポンプの予熱パターン例を示す図である。
【図１１】本発明に係る２段昇温吸収式ヒートポンプの予熱パターン例を示す図である。
【符号の説明】
【００５４】
Ａ        吸収器
ＡＨ      高温吸収器
Ｃ        凝縮器
Ｅ        蒸発器
Ｇ        再生器
Ｘ        溶液熱交換器
１        溶液ポンプ
２        濃溶液管
３        補給水管
４        希溶液管
５        冷媒ポンプ
６        冷媒管
７        流路
８        流路
９        冷却水管
１０      温水管
１１      温水管
１２      蒸発管
１３      蒸気管
１４      熱交換器
１５      熱交換器
１６      補給水ポンプ
１７      液面計
１８      インバータ
１９      液面計
２０      制御弁
２１      温度計
２２      気液分離器
２３      ポンプ
２４      液面計
２５      予熱管
３０      冷媒分岐管
３１      液面計
３２      制御弁
３３      バッフル板
３４      冷媒管
３５      蒸発管
３６      液面計
３７      希溶液管
３８      熱交換器
３９      熱交換器
４０      制御弁
４１      蒸気管
４２      蒸気管
４３      ドレン熱交換器
５０      熱交換器
５２      熱交換器
５３      熱交換器
５４      熱交換器
５５      熱交換器
５６      熱交換器
５９      熱交換器
６０      熱交換器
６１      熱交換器
６２      熱交換器
【図１】
2006138614.tif 000003
【図２】
2006138614.tif 000004
【図３】
2006138614.tif 000005
【図４】
2006138614.tif 000006
【図５】
2006138614.tif 000007
【図６】
2006138614.tif 000008
【図７−１】
2006138614.tif 000009
【図７−２】
2006138614.tif 000010
【図８−１】
2006138614.tif 000011
【図８−２】
2006138614.tif 000012
【図９−１】
2006138614.tif 000013
【図９−２】
2006138614.tif 000014
【図１０】
2006138614.tif 000015
【図１１】
2006138614.tif 000016